(57)【特許請求の範囲】
【請求項１】
橋脚縁端拡幅ブラケットを橋脚へ定着する定着構造において、最上段部のボルトをアンカーボルトとし、２段目以下のボルトを、埋め込み長を橋脚中の鉄筋と干渉しない長さに設定した打込み式アンカーボルトとした橋脚縁端拡幅ブラケットの橋脚への定着構造。
【発明の詳細な説明】
【０００１】
【発明の属する技術分野】
本発明は、橋脚縁端拡幅ブラケットの鉄筋コンクリート橋脚への定着構造に関し、とくに打込み式アンカーボルトを併用した橋脚縁端拡幅ブラケットの橋脚への定着構造に関する。
【０００２】
【従来の技術】
図３、図４に示すように、橋梁の上部工耐震補強工事において、支承１５交換時のジャッキアップ１６設置および桁かかり長が不足している箇所の縁端拡幅を行うために、桁１７直下位置の鉄筋コンクリート橋脚１０の側面部に鋼製の橋脚縁端拡幅ブラケット１１を設置している。
ブラケット１１の橋脚１０への定着方法として、従来、アンカーボルト１２（異形鉄筋Ｄ３８、５１が中心）を橋脚１０内部の鉄筋１４間に埋め込ませ、樹脂を注入し、ブラケット１１を装着した後、ナット１３を用いて締め付けている。
埋め込み長については、全てのアンカーボルトに対して、設計要領の基準により、一律、１０および１５Ｄ（ボルト径Ｄの１０および１５倍の長さ）を最小埋め込み長としている。
【０００３】
【発明が解決しようとする課題】
アンカーボルト設置用の孔は、鉄筋コンクリート橋脚の側面に、ダイヤモンドドリルを使用して穿孔している。
しかし、橋脚内部の鉄筋は、竣工図面通りに、一定間隔では配筋されていない場合が多いため、必要長を穿孔する際に、鉄筋と干渉してしまうことが避けられず、再度穿孔を行わなければならないため、多大な手間が生じている。
なお、穿孔を行う前には、配筋されている鉄筋位置をレーダー探査機により事前に検出しているが、機械の性能上、表面の鉄筋（表面から１００ｍｍ程度）以外は検出できないため、表面以降の鉄筋と干渉してしまう。
本発明の目的は、ボルト孔穿孔時に鉄筋と干渉することを少なくできる橋脚縁端拡幅ブラケットの橋脚への定着構造を提供することにある。
【０００４】
【課題を解決するための手段】
上記目的を達成する本発明はつぎの通りである。
橋脚縁端拡幅ブラケットを橋脚へ定着する定着構造において、最上段部のボルトをアンカーボルトとし、２段目以下のボルトを、埋め込み長を橋脚中の鉄筋と干渉しない長さに設定した打込み式アンカーボルトとした橋脚縁端拡幅ブラケットの橋脚への定着構造。
【０００５】
上記本発明の橋脚縁端拡幅ブラケットの橋脚への定着構造の作用はつぎの通りである。
アンカーボルトに発生する実際の断面力分布を考えた場合、全ての箇所において１０Ｄおよび１５Ｄのものを埋め込ませる必要はない。
必要埋め込み長の計算については、曲げモーメントによりアンカーボルトに発生する引張力に対して抵抗させればよく、実際には最上段部のボルトのみで引張力に抵抗可能である。よって、２段目以下のボルトについては剪断力にのみ抵抗させれば十分であるため、埋め込み長については鉄筋に干渉しない程度であってもよい。そこで、２段目以下のボルトについては、埋め込み長が１０ｃｍ程度の打込み式アンカーボルトを使用する。その結果、橋脚鉄筋を損傷することなく施工可能である。また、打込み式アンカーボルトについては、電動ドリルによる穿孔でよいため、施工が容易である。
【０００６】
【発明の実施の形態】
以下に、本発明の実施例を図１、図２に参照して説明する。
本発明実施例の橋脚端縁拡幅ブラケットの鉄筋コンクリート橋脚への定着構造は、図１、図２に示すように、支承１５交換時のジャッキアップ１６設置および桁かかり長が不足している箇所の縁端拡幅を行うために、桁１７直下位置の鉄筋コンクリート橋脚１０の側面部に、鋼製の橋脚縁端拡幅ブラケット１１を設置している。支承１５交換時には、橋脚縁端拡幅ブラケット１１の上にジャッキ１６を設置し、桁１７をジャッキ１６にて持ち上げ、支承１５を交換し、ついで桁１７をジャッキダウンし、支承交換作業を終了する。
【０００７】
橋脚縁端拡幅ブラケット１１を鉄筋コンクリート橋脚１０へ定着する定着構造においては、最上段部のボルトは異形鉄筋によるアンカーボルト１２（異形鉄筋Ｄ３８、５１が中心）とされ、２段目以下のボルトは、埋め込み長を橋脚中の鉄筋１４（特に表面側の鉄筋１４ａ）と干渉しない長さ（たとえば、約１０ｃｍ）に設定した打込み式アンカーボルト１８とされている。異形鉄筋によるアンカーボルト１２は、橋脚１０内部の鉄筋１４間に埋め込まれる。ついで、橋脚縁端拡幅ブラケット１１を橋脚１０へ装着後、ナット１３が、異形鉄筋によるアンカーボルト１２および打込み式アンカーボルト１８にねじこまれる。この構造では、ボルトとして、異形鉄筋によるアンカーボルト１２と打込み式アンカーボルト１８とが併用されている。
【０００８】
本発明の橋脚縁端拡幅ブラケット１１を鉄筋コンクリート橋脚１０へ定着する定着構造の作用については、打込み式アンカーボルト１８の埋め込み長が１０ｃｍ程度なので、橋脚鉄筋１４を損傷することなく施工可能である。また、打込み式アンカーボルト１８の穿孔が電動ドリルによる穿孔でよいため、施工が容易である。
【０００９】
さらに詳しくは、異形鉄筋によるアンカーボルト１２の必要埋め込み長は、曲げモーメントにより異形鉄筋によるアンカーボルト１２に発生する引張力に対して抵抗できる長さであればよく、最上段部の異形鉄筋によるアンカーボルト１２のみで引張力に抵抗可能である。異形鉄筋によるアンカーボルト１２の必要埋め込み長は、従来の異形鉄筋によるアンカーボルト１２の埋め込み長と同程度である。異形鉄筋によるアンカーボルト１２の埋め込みは従来作業に準じる。
【００１０】
２段目以下のボルト１８については剪断力にのみ抵抗させれば十分であるため、埋め込み長については鉄筋１４に干渉しない長さとしてあり、その埋め込み長は１０ｃｍ程度である。ただし、打込み式アンカーボルト１８の場合は、アンカーボルト１２の場合に比べて、本数が増えるかもしれない。これによって、打込み式アンカーボルト１８のための穿孔時にドリルが鉄筋１４を切断することがなくなる。また、埋め込み長は１０ｃｍ程度の場合は、電動ドリルによる穿孔でよいため、施工が容易となる。
【００１１】
【発明の効果】
請求項１の橋脚縁端拡幅ブラケットの鉄筋コンクリート橋脚への定着構造によれば、打込み式アンカーボルト併用としたので、従来のアンカーボルトを打込み式アンカーボルトに変えた箇所での、ボルトと橋脚鉄筋との干渉を無くすことができる。
また打込み式アンカーボルトについては、電動ドリルによる穿孔でよいため、施工が容易である。
【図面の簡単な説明】
【図１】本発明実施例の橋脚縁端拡幅ブラケットの橋脚への定着構造の断面図である。
【図２】図１の橋脚縁端拡幅ブラケットの橋脚への定着構造の側面図である。
【図３】従来の橋脚縁端拡幅ブラケットの橋脚への定着構造の断面図である。
【図４】図３の橋脚縁端拡幅ブラケットの橋脚への定着構造の側面図である。
【符号の説明】
１０  橋脚
１１  橋脚縁端拡幅ブラケット
１２  アンカーボルト
１３  ナット
１４  鉄筋
１５  支承
１６  ジャッキ
１７  桁
１８  打込み式アンカーボルト
【図１】
0003722703.tif 000002
【図２】
0003722703.tif 000003
【図３】
0003722703.tif 000004
【図４】
0003722703.tif 000005